(57)【特許請求の範囲】
【請求項１】
表側から外部部品である記録媒体を挿入可能な開口部を備える筐体と、
前記筐体の裏側に配置され光を照射する光源と、
前記開口部に近接して設けられ前記光源から照射された光を前記筐体の表側へ導く導光部材と、
前記開口部から埃が浸入するのを防止する蓋部材と、を有する電気機器において、
前記蓋部材の下端部が前記光源と前記導光部材との間に配置されるとともに、
前記蓋部材の下端部を下方に延出して形成されたマスク部が、前記光源と前記導光部材との間を遮るように配置され、
前記蓋部材と前記マスク部とは、遮光性と可撓性とを有したフェルトからなるシート状の部材を用いて一体的に形成され、
前記マスク部の左右方向の幅寸法は、前記光源の左右方向の幅寸法と同じであり、
前記マスク部は、前記光源の下端部に対応する位置まで延出していることを特徴とする電気機器。
【請求項２】
前記蓋部材と前記マスク部とは、前記シート状の部材を打ち抜き加工して外形を形成することを特徴とする請求項１に記載の電気機器。
【発明の詳細な説明】
【技術分野】
【０００１】
本発明は、各種電子機器の動作状態などを光（光り方や光の色など）で示すインジケータを有した電子機器に関し、特に、全体が均一な光で点灯するインジケータを有した電子機器に関するものである。
【背景技術】
【０００２】
オーディオ装置、特に夜間に使用されることが多い車載用オーディオ装置においては、暗所であってもＣＤ（Ｃｏｍｐａｃｔ  Ｄｉｓｃ）などの記録媒体を挿入する挿入口の位置を分かりやすくしたり、車載用オーディオ装置の状態を示したりする為に、インジケータを点灯することが多い。
【０００３】
暗所においてはインジケータの光り方がよりはっきりとするので、インジケータの光り方にムラがあると目立つことから、全体が均一な光で点灯するインジケータを有した電子機器が求められている。
【０００４】
従来のインジケータを有した電子機器としては、下記の特許文献１に記載のインジケータを有した電子機器が知られている。
【０００５】
以下、図５を用いて、特許文献１に記載のインジケータを有した電子機器０について説明する。図５は、特許文献１に記載のインジケータを有した電子機器０の構成を示す図である。
【０００６】
特許文献１に記載のインジケータを有した電子機器０は、ＣＤなどの記録媒体０６を再生可能な本体０１と、記録媒体を挿入可能な挿入口０３を備え本体０１において記録媒体０６を挿入可能な側に配置されたエスカッション０２と、挿入口０３の周辺部に設けられた記録媒体案内用の導光部材０４と、この導光部材０４を照明する色彩の異なる複数の光源０５と、を備えた車載用記録媒体再生装置である。
【０００７】
導光部材０４は、エスカッション０２に挿入して、一方の面を外方に露出し、他方の面は光源０５に臨んで配置される。光源０５の発する光を導光部材０４の他方の面に照射し、導光部材０４の一方の面を点灯することでインジケータとして機能する。
【０００８】
導光部材０４により形成されたインジケータを有した電子機器０は、電子機器０の動作状況に応じて、導光部材０４の照明色、或いは照明形態を変化させて点灯することが可能である。
【先行技術文献】
【特許文献】
【０００９】
【特許文献１】特許第４０７６６４０号公報
【発明の概要】
【発明が解決しようとする課題】
【００１０】
しかしながら、上記の電子機器０は、配置スペースが限られた車載用オーディオ装置であるため、挿入口０３側から見て奥側方向のスペースに余裕が無く、光源０５と導光部材０４との距離を広く取ることができない。そのため、点灯した導光部材０４は光源０５に対応する部分の近傍が明るく点灯し、光源０５に対応する部分の周辺が暗くなる照光ムラが発生する、という問題があった。
【００１１】
照光ムラの対応策として、導光部材０４を濃い乳白色の合成樹脂材で形成して光を拡散させる方法があるが、導光部材０４の生産コストが高くなるとともに、光源０５には高輝度ＬＥＤのような明るい光源にする必要がありコストが高くなる。
【００１２】
また、別の対応策として、光を拡散させるために導光部材０４の入光側の面および出光側の面にシボ加工を施す方法もあるが、金型加工費が増大してしまう。
【００１３】
本発明は、上述した課題を解決して、全体が均一な光で点灯するインジケータを有した電子機器を提供するものである。
【課題を解決するための手段】
【００１４】
請求項１に記載の電気機器は、表側から外部部品である記録媒体を挿入可能な開口部を備える筐体と、前記筐体の裏側に配置され光を照射する光源と、前記開口部に近接して設けられ前記光源から照射された光を前記筐体の表側へ導く導光部材と、前記開口部から埃が浸入するのを防止する蓋部材と、を有する電気機器において、前記蓋部材の下端部が前記光源と前記導光部材との間に配置されるとともに、前記蓋部材の下端部を下方に延出して形成されたマスク部が、前記光源と前記導光部材との間を遮るように配置され、前記蓋部材と前記マスク部とは、遮光性と可撓性とを有したフェルトからなるシート状の部材を用いて一体的に形成され、前記マスク部の左右方向の幅寸法は、前記光源の左右方向の幅寸法と同じであり、前記マスク部は、前記光源の下端部に対応する位置まで延出している、という特徴を有する。
【００１５】
請求項２に記載の電気機器は、前記蓋部材と前記マスク部とは、前記シート状の部材を打ち抜き加工して外形を形成する、という特徴を有する。
【発明の効果】
【００１７】
請求項１の発明によれば、遮光性を有した蓋部材の一部であるマスク部を延出して光源に重なる様に配置することで、最短距離で導光部材に届く光源からの輝度の高い光は遮られ、導光部材にはマスク部に遮られずに導光部材に届いた輝度の低い光が照光される。輝度が低くバラツキが小さい光が照射され、導光部材内で反射・拡散することで、導光部材は輝度ムラのない点灯が可能になるとともに、別部品としてマスク部に相当する部品を設ける必要が無くなりコストを増大させることなく対応することができる、という効果を奏する。また更に、マスク部の形状を、光源の形状に対応させて形成することで、光源から発せられる光を遮断しすぎることなく、導光部材が点灯しているのを視認するに十分な輝度を確保できるとともに、導光部材を輝度ムラなく点灯させることができる、という効果を奏する。
【００１８】
請求項２の発明によれば、可撓性を有したシート状の部材を打ち抜き加工して蓋部材とマスク部とを形成することで、マスク部を容易に形成することが可能となり、コストを増大させることなく輝度ムラを無くすことができる、という効果を奏する。
【図面の簡単な説明】
【００２０】
【図１】電子機器１の外観を示す図である
【図２】電子機器１の構造を示す図である。
【図３】蓋部材１４を示す図である。
【図４】光源１２とマスク部１４ｂとの位置関係を示す図である。
【図５】インジケータを有した電子機器０の構成を示す図である。
【発明を実施するための形態】
【００２１】
［第１実施形態］
以下に第１実施形態における電子機器１について説明する。
【００２２】
まず始めに本実施形態における電子機器１の構成について図１ないし図３を用いて説明する。図１は電子機器１の外観を示す図である。図２は電子機器１の構造を示す図である。図３は蓋部材１４を示す図である。
【００２３】
電子機器１は、図１に示すように、外部部品である例えばＣＤやＤＶＤのような記録媒体１５を表側から挿入可能な開口部１１ａを備える筐体１１と、筐体１１の裏側に配置され光を照射する光源１２と、開口部１１ａに近接して設けられ光源１２から照射された光を筐体１１の表側へ導く導光部材１３と、開口部１１ａから埃が浸入するのを防止する蓋部材１４と、を有する。
【００２４】
筐体１１は、図１および図２に示すように、合成樹脂材から形成され、表側から裏側へ貫通した開口部１１ａが設けられている。開口部１１ａは対応可能な記録媒体１５を挿入可能な形状に形成されている。
【００２５】
また、開口部１１ａは表側から裏側へ向かうにしたがって上下方向の幅が狭くなる形状に形成されたガイド部１１ｂを有し、下側に形成されたガイド部１１ｂの左右方向の両端には切り欠き部１１ｃが形成されている。
【００２６】
光源１２は、図２に示すように、例えばＬＥＤ（Ｌｉｇｈｔ  Ｅｍｉｔｔｉｎｇ  Ｄｉｏｄｅ、発光ダイオード）のように光を照射する発光面１２ａを有した電気部品である。
【００２７】
導光部材１３は、図２に示すように、透光性を有した合成樹脂材からなり、略直方体状に形成されている。裏側には光源１２からの光が入光する入光面１３ａが形成され、上側には導光部材１３に入光した光が外部に出光する照光面１３ｂが形成されている。
【００２８】
また、入光面１３ａの面積は光源１２の発光面２ａの面積よりも大きく、仮に入光面１３ａと発光面２ａとを重ねた場合には、入光面１３ａは入光面１３ａ内に発光面２ａが納まるような形状に形成されている。
【００２９】
蓋部材１４は、図３に示すように、例えばフェルト（不織布）の様な遮光性と可撓性とを有したシート状の部材を長方形状に打ち抜き加工して形成されている。
【００３０】
蓋部材１４は、左右方向に沿って記録媒体１５を挿通可能な切り込み部１４ａが形成され、左右方向両端の下側の一部を延設して形成されたマスク部１４ｂを有する。
【００３１】
次に電子機器１の構造について図１、図２および図４を用いて説明する。図４は光源１２とマスク部１４ｂとの位置関係を示す図であり、図４（ａ）は図１の上側から見たときの光源１２とマスク部１４ｂとの位置関係を示す図であり、図４（ｂ）は図１の右側から見たときの光源１２とマスク部１４ｂとの位置関係を示す図である。
【００３２】
導光部材１３は、図１および図２に示すように、筐体１１の裏側に配置され、筐体１１に設けられた２箇所の切り欠き部１１ｃにそれぞれ照光面１３ｂがガイド部１１ｂから露出するように配した状態で保持される。このとき、入光面１３ａは筐体１１の裏方向に臨んで配置され、照光面１３ｂはガイド部１１ｂと面一に配置されている。
【００３３】
光源１２は、例えば基板１６に半田付けされた状態で筐体１１の裏側に筐体１１から離間して２個配置される。このとき、光源１２の発光面１２ａはそれぞれ対応する導光部材１３の入光面１３ａと向かい合って配置されている。
【００３４】
蓋部材１４は、筐体１１の裏側に、開口部１１ａに挿入された記録媒体１５を切り込み部１４ａに挿入可能となる様に保持される。このとき、蓋部材１４は光源１２と導光部材１３との間に配置されるとともに、蓋部材１４の一部を延出して形成された２つのマスク部１４ｂがそれぞれ光源１２と導光部材１３との間を遮るように配置されている。
【００３５】
このように配置されたマスク部１４ｂは、図４（ａ）および図４（ｂ）に示すように、光源１２の下側の端部に対応する位置まで延出して設けられ、左右方向のマスク部１４ｂの幅寸法は、左右方向の光源１２の幅寸法と同じになるように形成されている。
【００３６】
このような構造の電子機器１において、導光部材１３は光源１２の照射した光を導き、照光面１３ｂを点灯させることでインジケータの機能をはたす。以下にどのようにして照光面１３ｂが点灯するのかについて図４（ａ）および図４（ｂ）を用いて説明する
【００３７】
図４（ａ）および図４（ｂ）に示すように、光源１２の発光面１２ａから発せられた光には、光Ａと光Ｂとがある。
【００３８】
光Ａは光源１２から導光部材１３に向かって最短距離を進む輝度が高い光だが、遮光性を有したマスク部１４ｂに遮られ導光部材１３の入光面１３ａには到達できるものは少ない。
【００３９】
光Ｂは、光Ａに比べると入光面１３ａまでの距離が長く、輝度が低いが、進行方向上に遮るものが無いため入光面１３ａに到達し、入光面１３ａから導光部材１３の内部に入った光Ｂは導光部材１３の内部で反射・拡散しながら進み、照光面１３ｂから出光することで照光面１３ｂが点灯し、インジケータとして機能する。なお、光Ｂの一部には照光面１３ｂ以外の面から出光するものもある。
【００４０】
以下、本実施形態としたことによる効果について説明する。
【００４１】
本実施形態の電子機器１では、表側から外部部品である記録媒体１５を挿入可能な開口部１１ａを備える筐体１１と、筐体１１の裏側に配置され光を照射する光源１２と、開口部１１ａに近接して設けられ光源１２から照射された光を筐体１１の表側へ導く導光部材１３と、開口部１１ａから埃が浸入するのを防止する蓋部材１４と、を有する電子機器において、蓋部材１４は遮光性を有し、蓋部材１４の一部が光源１２と導光部材１３との間に配置されるとともに、蓋部材１４の一部を延出して形成されたマスク部１４ｂが光源１２と導光部材１３との間を遮るように配置されている構造とした。
【００４２】
これにより、遮光性を有した蓋部材１４のマスク部１４ｂを延出して光源１２に重なる様に配置することで、光源１２から最短距離で導光部材１３に届く輝度の高い光Ａはマスク部１４ｂによって遮られる物が多く、導光部材１３にはマスク部１４ｂに遮られずに導光部材１３に届いた輝度の低い光Ｂが照光される。
【００４３】
電子機器１が小型化されるなどした場合、導光部材１３の入光面１３ａと光源１２の発光面１２ａとの間の距離がより縮まることになる。このとき、マスク部１４ｂが光源１２と導光部材１３との間を遮るように配置されていなかったとすると、図４に示す光Ａは拡散することなく入光面１３ａに到達してしまう。光Ａと光Ｂとでは輝度に差があるため、照光面１３ｂには輝度ムラが発生し、明るいところと暗いところができてしまう。
【００４４】
輝度ムラは見た目が良くなく、ユーザーから避けられることもある。そこで、従来は、導光部材に透光性を有した乳白色の合成樹脂材を用いると共に高輝度の光源を用いたり、入光面１３ａおよび照光面１３ｂにシボ加工を施すなどして光を分散させることで輝度ムラに対応してきた。しかしながら、これらの対策は加工費や購入費用が高くなってしまっていた。
【００４５】
本実施形態の電子機器１においては、電子機器１の構成部品である蓋部材１４の一部をマスク部１４ｂとすることで、加工費や購入費用を高くすることなく、マスク部１４ｂで輝度の高い光を遮断することで、入光面１３ａには輝度のバラツキが小さい光が照射されることとなり、照光面１３ｂは輝度ムラのない点灯が可能になるとともに、別部品としてマスク部１４ｂに相当する部品を設ける必要が無くなりコストを増大させることなく対応することができる、という効果を奏する。
【００４６】
また、本実施形態の電子機器１では、マスク部１４ｂは、マスク部１４ｂが延出した方向に対して光源１２の奥側の端部に対応する位置まで延出して設けられ、マスク部１４ｂが延出した方向に直交する方向のマスク部１４ｂの幅寸法は、マスク部１４ｂが延出した方向に直交する方向の光源１２の幅寸法と同じである構造とした。
【００４７】
これにより、マスク部１４ｂの形状を、光源１２の発光面１２ａの形状に対応させて形成することで、光源１２から発せられる光を遮断しすぎることなく、導光部材１３の照光面１３ｂが点灯しているのを視認するに十分な輝度を確保できるとともに、照光面１３ｂを輝度ムラなく点灯させることができる、という効果を奏する。
【００４８】
また、本実施形態の電子機器１では、入光面１３ａの形状を、仮に入光面１３ａと発光面２ａとを重ねて配置した場合に、入光面１３ａ内に発光面２ａが納まるような形状に形成している。
【００４９】
これにより、図４に示す、輝度の高い光Ａ以外の光Ｂを導光部材１３内に効率的に取り込むことが可能となり、照光面１３ｂをより安定して輝度ムラなく点灯させることができる、という効果を奏する。
【００５０】
また、本実施形態の電子機器１では、蓋部材１４は可撓性を有したシート状の部材を打ち抜き加工して外形を形成する構造とした。
【００５１】
これにより、可撓性を有したシート状の部材を打ち抜き加工して蓋部材１４の外形を形成することで、マスク部１４ｂを容易に形成することが可能となり、コストを増大させることなく輝度ムラを無くすことができる、という効果を奏する。
【００５２】
また、本実施形態においては、フェルトを用いて蓋部材１４を形成しているため、記録媒体１５に付着していた埃を除去するとともに、記録媒体１５に当接しても傷を付け難いため、電子機器１の使用者は記録媒体１５の挿入および排出を容易に行なうことができる、という効果を奏する。
【００５３】
また、本実施形態の電子機器１では、インジケータを開口部１１ａの両端近傍に設ける、構造とした。
【００５４】
これにより、開口部１１ａの両端近傍が点灯することで、夜間や暗所であっても開口部１１ａの位置と幅が分かり、記録媒体１５を開口部１１ａ内に挿入しやすくなる、という効果を奏する。
【００５５】
また、本実施形態の電子機器１では、インジケータを下側に形成されたガイド部１１ｂに露出するように配置する、構造とした。
【００５６】
これにより、開口部１１ａの内側の両端近傍が点灯することで、夜間や暗所であっても開口部１１ａの位置がより分かりやすく、記録媒体１５を開口部１１ａ内に挿入しやすくなるという効果を奏する。
【００５７】
また、これにより、インジケータが下側に形成されたガイド部１１ｂに露出するように配置されているため、車載用に用いられた際には、見下ろした視線で開口部１１ａを目視することが多い自動車の運転手の目につきやすく、記録媒体１５を開口部１１ａ内に挿入しやすくなるという効果を奏する。
【００５８】
以上のように、本発明の実施形態に係る電子機器１を具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００５９】
（１）本実施形態において、電子機器１には操作スイッチなどを設けていないが、各種スイッチ類や他の記録媒体を挿入可能な挿入口などを必要に応じて別途設けても良い。
【００６０】
（２）本実施形態において、電子機器１は記録媒体１５の再生機を備えていないが、必要に応じて記録媒体１５の再生機または録画・再生機を一体とした構造としても良い。
【００６１】
（３）本実施形態において、光源１２の発する光の色彩については特に規定してないが、必要に応じて任意に選択しても良く、また、必要に応じて複数の色彩の光源１２を使い分ける構造としても良い。これにより、電子機器１の使用状態によってインジケータの色を使い分けることが可能となり、目視で電子機器１の使用状態を確認する事ができる、という効果を奏する。
【００６２】
（４）本実施形態において、インジケータとして導光部材１３の照光面１３ｂを開口部１１ａの両端近傍に配置したが、開口部１１ａの両端近傍に限定するものではなく、例えば、両端近傍および中央部に設けるなど、必要に応じて配置箇所や配置数などを変えても良い。
【００６３】
（５）本実施形態において、インジケータを開口部１１ａの内側にあるガイド部１１ｂに配置したが、開口部１１ａ近傍の筐体１１の表面に露出するように配置しても良い。
【００６４】
（６）本実施形態において、記録媒体１５の示す図としてＣＤの様な円盤状の記録媒体としているが、円盤状以外の形状の記録媒体でも良い。
【符号の説明】
【００６５】
１      電子機器
１１    筐体
１１ａ  開口部
１１ｂ  ガイド部
１２    光源
１２ａ  発光面
１３    導光部材
１３ａ  入光面
１３ｂ  照光面
１４    蓋部材
１４ａ  切り込み部
１４ｂ  マスク部
１５    記録媒体
１６    基板
【図１】
0005787443.tif 000002
【図２】
0005787443.tif 000003
【図３】
0005787443.tif 000004
【図４】
0005787443.tif 000005
【図５】
0005787443.tif 000006